(57)【要約】      （修正有）【課題】捕球する際に、ボールによる衝撃力を大幅に緩和して使用者に捕球の快適感を与える上、手を、痛みや運動傷害から十分に保護することもできる野球用グローブを提供する。【解決手段】手掌部２４と指部２５とを有する手の形状に、該手掌部の末端に手を入れる開口が形成され、その表面で捕球をする捕球層２１と、その裏面が該捕球層の裏面と対面して使用者の手の甲を覆って保護する甲部層２３とから接合されてなった野球用グローブ２において、前記捕球層の裏面には、前記手掌部の一部と前記指部の一部が覆われるように、緩衝材が設けられたパッド２２が配置・固定されている。【選択図】図１
0003129991.tif 000002
【実用新案登録請求の範囲】
【請求項１】
手掌部と指部とを有する手の形状に、該手掌部の末端に手を入れる開口が形成され、その表面で捕球をする捕球層と、その裏面が該捕球層の裏面と対面して使用者の手の甲を覆って保護する甲部層とから接合されてなった野球用グローブにおいて、
前記捕球層の裏面には、前記手掌部の一部と前記指部の一部とが覆われるように、緩衝材が設けられたパッドが配置・固定されていることを特徴とする野球用グローブ。
【請求項２】
前記パッドの前記手掌部に第１の緩衝材が設けられ、該緩衝材の前記甲部層側の面に前記捕球層に向かって窪んだ凹部が形成してあることを特徴とする請求項１に記載の野球用グローブ。
【請求項３】
前記パッドの前記手掌部と前記指部との間に、略Ｕ字状の第２の緩衝材が少なくとも一つ設けられていることを特徴とする請求項１または２に記載の野球用グローブ。
【請求項４】
前記指部は、親指、人差し指、中指、薬指及び小指を有し、前記パッドの、前記人差し指、中指、薬指及び小指の隣接する２指の間にそれぞれ、前記第２の緩衝材が、隣接する２指の境界部分が略Ｕ字状の閉じた側によって囲まれるように設けられていることを特徴とする請求項３に記載の野球用グローブ。
【請求項５】
前記第１の緩衝材は、前記人差し指と前記中指との境界に設けられた第２の緩衝材と一体的に形成されていることを特徴とする請求項４に記載の野球用グローブ。
【請求項６】
前記第１の緩衝材は、前記人差し指と前記中指との境界及び前記中指と前記薬指とのそれぞれの境界に設けられた第２の緩衝材と一体的に形成されていることを特徴とする請求項４に記載の野球用グローブ。
【請求項７】
前記第１の緩衝材には、前記人差し指の根元近傍に一体的に形成された第３の緩衝材を備え、この第３の緩衝材は、前記人差し指と前記中指との間に設けられた第２の緩衝材と連続して略Ｕ字状になっていることを特徴とする請求項５または６に記載の野球用グローブ。
【請求項８】
また、前記甲部層の表面には、補強リブが形成してあることを特徴とする請求項１に記載の野球用グローブ。
【請求項９】
前記補強リブは三個所あり、それぞれ前記手掌部の、使用者の親指近傍から人差し指近傍まで略台形状に互いに平行に設けられていることを特徴とする請求項８に記載の野球用グローブ。
【請求項１０】
前記補強リブは更に三個所あり、それぞれ前記手掌部の、使用者の手首近傍で人差し指の側から小指の側へと略楕円状に互いに平衡に設けられていることを特徴とする請求項９に記載の野球用グローブ。
【考案の詳細な説明】
【技術分野】
【０００１】
本考案は、野球で捕球をするために使用される野球用グローブに関する。
【背景技術】
【０００２】
従来の野球用グローブとしては、フィルダー及びピッチャーが使用するものを例として挙げれば、図９に示すように、手掌部１４と指部１５とを有する手の形状に、該手掌部１４の末端に手を入れる開口１３が形成され、その表面で捕球をする捕球層１１と、その裏面が該捕球層１１の裏面と対面して使用者の手の甲を覆って保護する甲部層１２とから接合されてなったものである（特許文献１参照）。もちろん、他にキャッチャー用のものもあるが、キャッチャー用のものは、図示の指部が、親指、人差し指、中指、薬指及び小指の五指に分けられたものに対し、その人差し指、中指、薬指及び小指が一体になり、全体が二指になっている。
【０００３】
ところで、二指型であれ、五指型であれ、スピードの速いボールを捕球する際、その手に当たる衝撃力が大きくて時々使用者の手を痛めたり痺れさせたりし、運動傷害を与える問題点が存在している。
【０００４】
【特許文献１】特開２００１−２３８９９３号公報
【考案の開示】
【考案が解決しようとする課題】
【０００５】
本考案は、前記問題点に鑑みてなされたものであり、即ち、捕球する際に、ボールによる衝撃力を大幅に緩和して使用者に捕球の快適感を与える上、手を、痛みや運動傷害から十分に保護することもできる野球用グローブを提供することを目的とする。
【課題を解決するための手段】
【０００６】
前記目的を達成するために、本考案は、手掌部と指部とを有する手の形状に、該手掌部の末端に手を入れる開口が形成され、その表面で捕球をする捕球層と、その裏面が該捕球層の裏面と対面して使用者の手の甲を覆って保護する甲部層とから接合されてなった野球用グローブにおいて、前記捕球層の裏面には、前記手掌部の一部と前記指部の一部が覆われるように、緩衝材が設けられたパッドが配置・固定されていることを特徴とする野球用グローブを提供する。
【考案の効果】
【０００７】
前記構成による野球用グローブでボールを受ける時、ボールから伝わる衝撃力の大部分が、緩衝材が設けられたパッドに吸収・緩和されるので、使用者に捕球の快適感を与える上、手を、痛みや運動傷害から保護する効果を果たすこともできる。
【考案を実施するための最良の形態】
【０００８】
以下、図面を参照しながら本考案の実施形態を説明する。
まず、フィルダー及びピッチャーが使用するものを例として本考案にかかる第１実施形態の野球用グローブを説明する。図１は、本考案にかかる第１実施形態の野球用グローブの捕球層側から見た斜視図である。図２は、本考案にかかる第１実施形態の野球用グローブの甲部層側から見た斜視図である。図３は、前記第１実施形態の野球用グローブにおけるパッドの甲部層側から見た詳細を示す平面図である。
【０００９】
図１と図２に示すように、第１実施形態の野球用グローブ２は、手掌部２４と、親指、人差し指、中指、薬指及び小指の五指を備えた指部２５とを有する手の形状に、該手掌部２４の末端に手を入れる開口２６が形成され、その表面で捕球をする捕球層２１と、その裏面が該捕球層２１の裏面と対向して使用者の手の甲を覆って保護する甲部層２３とが接合されてなったものである。また、前記捕球層２１の裏面には、手掌部２４の一部と指部２５の一部とが覆われるように、緩衝材２０が設けられたパッド２２が配置・固定されている。そのために、図3において、緩衝材２０は甲部層２３側に向けて隆起された形状となっている。
【００１０】
また、図３から明らかなように、緩衝材２０はまず第１の緩衝材２０１と第２の緩衝材２０２とを含んでいる。第１の緩衝材２０１はパッド２２の手掌部２４に設けられ、第２の緩衝材２０２は図３においては３個所に設けられており、それぞれパッド２２の、人差し指、中指、薬指及び小指の隣接する２指の間に設けられている。第２の緩衝材２０２は、いずれも略Ｕ字状になっている。隣接する２指の境界部分が、略Ｕ字状の第２の緩衝材２０２の閉じた側によって囲まれるように設けられている。
【００１１】
また、図示のようにこの実施形態において、第１の緩衝材２０１は、人差し指と中指との間に設けられた第２の緩衝材２０２と一体的に形成されている。さらに、第１の緩衝材２０１は、人差し指の根元近くに一体的に形成された第３の緩衝材２０３を備えている。この第３の緩衝材２０３も略Ｕ字状となっており、人差し指と中指との間に設けられた第２の緩衝材２０２と連続している。
【００１２】
次に、本考案にかかる第２実施形態の野球用グローブを説明する。図４は、本考案にかかる第２実施形態の野球用グローブの捕球層側から見た斜視図である。図５は、本考案にかかる第２実施形態の野球用グローブの甲部層側から見た斜視図である。図６は、前記第２実施形態の野球用グローブにおけるパッドの甲部層側から見た詳細を示す平面図である。
【００１３】
前記図面に示すように、第２実施形態の野球用グローブ２Ａの構成は、第１実施形態の構成とほぼ同じだが、その相違点は緩衝材２０Ａにある。即ち、パッド２２Ａの手掌部２４Ａに設けられた第１の緩衝材２０１Ａには、甲部層２３Ａ側の面に捕球層２１Ａへ向かって窪んだ凹部２０４が形成してあり、且つ第１の緩衝材２０１Ａは、人差し指と中指との境界のところ及び中指と薬指との境界のところそれぞれに設けられた第２の緩衝材２０２Ａと一体的に形成されている。
【００１４】
次に、本考案にかかる第３実施形態の野球用グローブを説明する。図７は、本考案にかかる第３実施形態の野球用グローブの側面から見た側面図である。図８は、本考案にかかる第３実施形態の野球用グローブの甲部層側から見た斜視図である。
【００１５】
前記図面に示すように、第３実施形態の野球用グローブ２Ｂの構成は、第１実施形態の構成とほぼ同じだが、その相違点は、甲部層２３Ｂの表面に、複数の補強リブ２７が形成されていることにある。この実施形態において、複数の補強リブ２７は、それぞれ手掌部２４Ｂの、使用者の親指近傍から人差し指近傍まで、略台形状に互いに平行に３個所設けられている。一方、それぞれ手掌部２４Ｂの、使用者の手首近傍で、人差し指の側から小指の側へと略楕円状に互いに平行に３個所設けられている。
【００１６】
なお、本考案は前述実施形態に限定されるものではなく、本考案の要旨を逸脱しない範囲において種々の変形が可能である。例えば、前述実施形態においては、フィルダー及びピッチャーが使用するものを説明したが、本考案は、キャッチャーが使用するような指部全体が２指に区分されたものに適用されてもよい。
【産業上の利用可能性】
【００１７】
以上、実施形態で詳細に説明したように、本考案の野球用グローブによれば、使用者に捕球の快適感を与える上、手を、痛みや運動傷害から保護する効果を果たすことができる。
【図面の簡単な説明】
【００１８】
【図１】本考案にかかる第１実施形態の野球用グローブの捕球層側から見た斜視図。
【図２】本考案にかかる第１実施形態の野球用グローブの甲部層側から見た斜視図。
【図３】前記第１実施形態の野球用グローブにおけるパッドの甲部層側から見た詳細を示す平面図。
【図４】本考案にかかる第２実施形態の野球用グローブの捕球層側から見た斜視図。
【図５】本考案にかかる第２実施形態の野球用グローブの甲部層側から見た斜視図。
【図６】前記第２実施形態の野球用グローブにおけるパッドの甲部層側から見た詳細を示す平面図。
【図７】本考案にかかる第３実施形態の野球用グローブの側面から見た側面図。
【図８】本考案にかかる第３実施形態の野球用グローブの甲部層側から見た斜視図。
【図９】従来の野球用グローブの一例の捕球層側から見た斜視図。
【符号の説明】
【００１９】
２、２Ａ、２Ｂ    野球用グローブ
２０    緩衝材
２０１、２０１Ａ    第１の緩衝材
２０２、２０２Ａ    第２の緩衝材
２０３    第３の緩衝材
２０４    凹部
２１、２１Ａ    捕球層
２２、２２Ａ    パッド
２３、２３Ａ、２３Ｂ    甲部層
２４、２４Ａ、２４Ｂ    手掌部
２５    指部
２６    開口
２７    補強リブ
【図１】
0003129991.tif 000003
【図２】
0003129991.tif 000004
【図３】
0003129991.tif 000005
【図４】
0003129991.tif 000006
【図５】
0003129991.tif 000007
【図６】
0003129991.tif 000008
【図７】
0003129991.tif 000009
【図８】
0003129991.tif 000010
【図９】
0003129991.tif 000011